(57)【要約】
【課題】落下試験時の衝撃など、外部からの衝撃に対して弱かった。
【解決手段】 トレイシャーシ７０の底部７１の左右二箇所に形成された嵌合爪７２を支えとして、トレイシャーシ７０を底面５０の内側上にてフロントキャビネット１０に向かってスライド移動させる。そして、同スライド移動に伴い、嵌合爪７２が嵌合穴６０の形成された位置まで到達した際に、嵌合爪７２と嵌合穴６０とを嵌合させる。その結果、トレイシャーシ７０は、フロントキャビネット１０に対して強固に固定され、落下実験時等の衝撃による揺れを抑制でき、トレイシャーシ７０やデッキシャーシ９０等の固定位置のずれや破損を防ぐことができる。
【選択図】　図３
0003100122.tif 000002
【実用新案登録請求の範囲】
【請求項１】
ディスプレイ装置の表示面を外部空間に向けるための開口を前面に形成するフロントキャビネットの背面側から同フロントキャビネットに向けてトレイシャーシをスライド移動させ、同フロントキャビネットにおける同開口の周辺位置に同トレイシャーシを固定する多機能一体型テレビジョンにおいて、
　同フロントキャビネットは、底面の左右二箇所に夫々嵌合穴を備え、
　同トレイシャーシは、スライド移動方向の前方側から後方側に向けて徐々に突出する斜面を先端部に形成する嵌合爪を底部の左右二箇所に夫々備え、
　同トレイシャーシを所定の距離スライド移動させた後に、同嵌合爪と同嵌合穴とを嵌合させることにより、同トレイシャーシを同フロントキャビネットに固定することを特徴とする多機能一体型テレビジョン。
【請求項２】
フロントキャビネットの背面側から同フロントキャビネットに向けてトレイシャーシをスライド移動させ、同フロントキャビネットの所定位置に同トレイシャーシを固定する多機能一体型テレビジョンであって、
　同フロントキャビネットは、底面に嵌合穴を備え、
　同トレイシャーシは、底部に嵌合爪を備え、
　同嵌合爪と同嵌合穴とを嵌合させることにより、同トレイシャーシを同フロントキャビネットに固定することを特徴とする多機能一体型テレビジョン。
【請求項３】
上記嵌合穴は、上記フロントキャビネットの底面の左右二箇所に夫々形成され、上記嵌合爪は、上記トレイシャーシの底部の左右二箇所に夫々形成されることを特徴とする請求項２に記載の多機能一体型テレビジョン。
【請求項４】
上記嵌合爪は、スライド移動方向の前方側から後方側に向けて徐々に突出する斜面を先端部に形成することを特徴とする請求項２または請求項３のいずれかに記載の多機能一体型テレビジョン。
【請求項５】
上記フロントキャビネットは、上記底面の内側に、上記フロントキャビネットに向けてスライド移動する上記トレイシャーシの嵌合爪を上記嵌合穴が形成されている位置に案内する案内溝を有することを特徴とする請求項２〜請求項４のいずれかに記載の多機能一体型テレビジョン。
【請求項６】
上記嵌合穴は、上記嵌合穴と上記嵌合爪とが嵌合した状態で上記トレイシャーシを上記フロントキャビネットに向けスライド移動させた場合に上記嵌合爪が上記嵌合穴内でスライド移動方向に若干距離を移動できる程度の大きさに形成されるとともに、
　上記トレイシャーシの前端部および、上記嵌合爪が上記嵌合穴内でスライド移動方向に若干距離を移動した場合に同前端部と接近する上記フロントキャビネットの所定箇所には、上記フロントキャビネットに対する上記トレイシャーシの上下位置を固定する上下位置決め嵌合部が形成され、
　かつ、同上下位置決め嵌合部により上記トレイシャーシの上下位置が固定された上で上記フロントキャビネットの後方にリアキャビネットを装着することにより、上記トレイシャーシの前後位置を固定可能であることを特徴とする請求項２〜請求項５のいずれかに記載の多機能一体型テレビジョン。
【考案の詳細な説明】
【技術分野】
【０００１】
　本考案は、多機能一体型テレビジョンに関し、特に、フロントキャビネットの所定位置にトレイシャーシを固定する多機能一体型テレビジョンに関する。
【背景技術】
【０００２】
　従来、この種のフロントキャビネットとの固定構造として、筺体内にデッキシャーシが配置された後に、フロントキャビネットが前側から取り付けられるように構成されたものであって、フロントキャビネットには、筺体の底板の前端に形成された段状凹部に嵌め入れられる水平突出片が設けられ、この水平突出片の上面における同段状凹部内にデッキシャーシの前端下部に下向きに突設された凸部分が嵌め入れられる固定構造が知られている（例えば、特許文献１参照。）。
【特許文献１】実用新案登録第３０９３１４９号公報
【考案の開示】
【考案が解決しようとする課題】
【０００３】
　上述した特許文献１に記載された固定構造は、筺体内にデッキシャーシを配置した上で、前側からフロントキャビネットを取り付ける技術を開示するものであり、フロントキャビネットは、筺体の段状凹部とデッキシャーシの前端下部に下向きに突設された凸部分との間に水平突出片を嵌め入れることで固定される。従って、デッキシャーシは筺体に対して固定されており、デッキシャーシをフロントキャビネットに対して固定することはできないという課題があった。
【０００４】
　本考案は、上記課題にかんがみてなされたもので、トレイシャーシをフロントキャビネットに対して簡易に、かつ、強固に固定することが可能な多機能一体型テレビジョンを提供することを目的とする。
【課題を解決するための手段】
【０００５】
　上記目的を達成するため、請求項１にかかる考案は、ディスプレイ装置の表示面を外部空間に向けるための開口を前面に形成するフロントキャビネットの背面側から同フロントキャビネットに向けてトレイシャーシをスライド移動させ、同フロントキャビネットにおける同開口の周辺位置に同トレイシャーシを固定する多機能一体型テレビジョンにおいて、同フロントキャビネットは、底面の左右二箇所に夫々嵌合穴を備え、同トレイシャーシは、スライド移動方向の前方側から後方側に向けて徐々に突出する斜面を先端部に形成する嵌合爪を底部の左右二箇所に夫々備え、同トレイシャーシを所定の距離スライド移動させた後に、同嵌合爪と同嵌合穴とを嵌合させることにより、同トレイシャーシを同フロントキャビネットに固定する構成としてある。
【０００６】
　上記のように構成した請求項１にかかる考案においては、上記多機能一体型テレビジョンは、ディスプレイ装置の表示面を外部空間に向けるための開口を前面に形成するフロントキャビネットの背面側から、同フロントキャビネットに向けてトレイシャーシをスライド移動させ、同フロントキャビネットにおける同開口の周辺位置に同トレイシャーシを固定する。すなわち、ビデオデッキやＤＶＤドライブなどを備える多機能一体型テレビジョンにおいては、デッキシャーシ等を搭載したトレイシャーシを、同フロントキャビネットの同開口の周辺位置に固定する。また、同開口には、ＣＲＴ等のディスプレイ装置が取り付けられるため、同トレイシャーシは、同フロントキャビネットの背面側からスライド移動させて固定する必要がある。
【０００７】
　そこで、フロントキャビネットは、底面の左右二箇所に夫々嵌合穴を備え、同トレイシャーシは、スライド移動方向の前方側から後方側に向けて徐々に突出する斜面を先端部に形成する嵌合爪を底部の左右二箇所に夫々備えている。そして、同トレイシャーシを、同フロントキャビネットの背面側から、同フロントキャビネットに向けて所定の距離スライド移動させた後に、同嵌合爪と同嵌合穴とを嵌合させることにより、同トレイシャーシを同フロントキャビネットに固定する。すなわち、トレイシャーシの底部に設けられた嵌合爪がフロントキャビネットの底面に設けられた嵌合穴に嵌め込まれることで、トレイシャーシはフロントキャビネットに対して強固に固定される。
【０００８】
　上記多機能一体型テレビジョンが外部から衝撃を受けた際、トレイシャーシがフロントキャビネットに強固に固定されていないと、上記多機能一体型テレビジョンの内部に収容されるトレイシャーシやトレイシャーシ上に搭載されるデッキシャーシが大きく揺れる。その結果、トレイシャーシやデッキシャーシが本来の固定位置からずれたり、上記揺れによって破損してしまう場合がある。本願考案においては、トレイシャーシがフロントキャビネットに強固に固定されているため、上記多機能一体型テレビジョンが外部から衝撃を受けた場合に、トレイシャーシやトレイシャーシ上に搭載されるデッキシャーシの揺れを抑制することができ、トレイシャーシやデッキシャーシの固定位置のずれや破損を防ぐことができる。特に、製品の落下試験時の衝撃を受けた際にも、トレイシャーシやデッキシャーシの固定位置のずれや破損を防ぐことができる。
【０００９】
　また、上記嵌合爪は、先端部にスライド移動方向の前方側から後方側に向けて徐々に突出する斜面を形成しているため、上記嵌合爪は、同斜面とスライド移動方向の後方側を向く側面によって形成された突出する先端で上記底面に接触する。よって、上記トレイシャーシを上記フロントキャビネットの底面内側上でスライド移動させ易い。さらに、上記嵌合爪が上記嵌合穴に嵌り込むと、上記嵌合穴の側面に上記嵌合爪のスライド移動方向の後方側を向く側面が長い距離をもって当接するため、スライド移動方向の前方側からの衝撃を受けた場合でも、同衝撃によって上記嵌合爪が上記嵌合穴から抜け出して、上記トレイシャーシがスライド移動方向の後方側にずれることが防がれる。
　加えて、上記嵌合爪を上記嵌合穴に嵌め込むだけなので、フロントキャビネットとトレイシャーシをビス等で固定する場合と比較して、容易かつ低コストで、フロントキャビネットとトレイシャーシとを固定することができる。
【００１０】
　請求項２にかかる考案は、フロントキャビネットの背面側から同フロントキャビネットに向けてトレイシャーシをスライド移動させ、同フロントキャビネットの所定位置に同トレイシャーシを固定する多機能一体型テレビジョンであって、同フロントキャビネットは、底面に嵌合穴を備え、同トレイシャーシは、底部に嵌合爪を備え、同嵌合爪と同嵌合穴とを嵌合させることにより、同トレイシャーシを同フロントキャビネットに固定する構成としてある。
【００１１】
　上記のように構成した請求項２にかかる考案においては、フロントキャビネットの背面側から同フロントキャビネットに向けてトレイシャーシをスライド移動させ、同フロントキャビネットの所定位置に同トレイシャーシを固定する。
　ここで、同フロントキャビネットは、底面に嵌合穴を備え、同トレイシャーシは、底部に嵌合爪を備えている。そして、同フロントキャビネットの背面側から同フロントキャビネットに向けてトレイシャーシをスライド移動させ、トレイシャーシの底部に設けられた嵌合爪をフロントキャビネットの底面に設けられた嵌合穴に嵌め込むことで、トレイシャーシは、フロントキャビネットに対して強固に固定される。従って、請求項１に係る考案と同様に、落下試験時の衝撃など上記多機能一体型テレビジョンが外部から衝撃を受けた場合に、トレイシャーシやトレイシャーシ上に搭載されるデッキシャーシの揺れを抑制することができ、トレイシャーシやデッキシャーシの固定位置のずれや破損を防ぐことができる。また、上記嵌合爪を上記嵌合穴に嵌め込むだけなので、フロントキャビネットとトレイシャーシをビス等で固定する場合と比較して、容易かつ低コストで、フロントキャビネットとトレイシャーシとを固定することができる。
【００１２】
　ここで、上記嵌合穴および上記嵌合爪の数は任意の数を採用可能であるが、その一例として請求項３にかかる考案は、上記請求項２に記載の多機能一体型テレビジョンにおいて、上記嵌合穴は、上記フロントキャビネットの底面の左右二箇所に夫々形成され、上記嵌合爪は、上記トレイシャーシの底部の左右二箇所に夫々形成される構成としてある。
【００１３】
　上記のように構成した請求項３にかかる考案においては、上記嵌合穴は、上記フロントキャビネットの底面の左右二箇所に夫々形成され、上記嵌合爪は、上記トレイシャーシの底部の左右二箇所に夫々形成される。すなわち、上記嵌合爪を上記トレイシャーシの底部の左右二箇所に設けることで、上記トレイシャーシを上記フロントキャビネットの底面内側上でスライド移動させる際に、左右二箇所の嵌合爪が支えとなり、上記トレイシャーシを安定した状態でスライド移動させることが可能となる。その結果、効率よく上記トレイシャーシを上記フロントキャビネットに固定することができる。
【００１４】
　請求項４にかかる考案は、上記請求項２または請求項３のいずれかに記載の多機能一体型テレビジョンにおいて、上記嵌合爪は、スライド移動方向の前方側から後方側に向けて徐々に突出する斜面を先端部に形成する構成としてある。
【００１５】
　上記のように構成した請求項４にかかる考案においては、上記嵌合爪の先端部には、スライド移動方向の前方側から後方側に向けて徐々に突出する斜面が形成されている。よって、上記嵌合爪は、同斜面とスライド移動方向の後方側を向く側面によって形成された鋭角部分で上記底面に接触し、同斜面とスライド移動方向の前方側を向く側面によって形成された鈍角部分は上記底面から若干浮く。その結果、スライド移動に伴い上記嵌合爪が上記フロントキャビネットの底面内側上を移動する際に、上記嵌合爪が同底面内側上の凸凹などに引っかかりにくくなり、上記トレイシャーシをスムーズにスライド移動させることができる。また、上記嵌合爪が上記嵌合穴に嵌り込むと、上記嵌合穴の側面に上記嵌合爪のスライド移動方向の後方側を向く側面が長い距離をもって当接するため、スライド移動方向の前方側からの衝撃を受けた場合でも、同衝撃によって上記嵌合爪が上記嵌合穴から抜け出して、上記トレイシャーシがスライド移動方向の後方側にずれることが防がれる。
【００１６】
　請求項５にかかる考案は、上記請求項２〜請求項４のいずれかに記載の多機能一体型テレビジョンにおいて、上記フロントキャビネットは、上記底面の内側に、上記フロントキャビネットに向けてスライド移動する上記トレイシャーシの嵌合爪を上記嵌合穴が形成されている位置に案内する案内溝を有する構成としてある。
【００１７】
　上記のように構成した請求項５にかかる考案においては、上記フロントキャビネットは、上記底面の内側に、案内溝を有する。同案内溝は、上記フロントキャビネットに向けてスライド移動する上記トレイシャーシの嵌合爪を上記嵌合穴が形成されている位置にまで案内する。すなわち、上記トレイシャーシを上記フロントキャビネットに固定すべく、上記トレイシャーシを上記フロントキャビネットの底面内側上に置いた際に、上記嵌合爪が同案内溝に入り込む。そして、スライド移動に伴い、上記嵌合爪は同案内溝を進行し、そのまま、上記嵌合穴のある位置まで案内される。従って、上記嵌合爪は確実に上記嵌合穴に案内され、上記トレイシャーシは上記フロントキャビネットに対して容易に固定される。
【００１８】
　上述した構成によって、上記トレイシャーシは、上記フロントキャビネットに強固に固定されるが、さらに、上記トレイシャーシの上記フロントキャビネットに対する上下位置を確実に固定できる構成を加えてもよい。
　そこで、請求項６にかかる考案は、上記請求項２〜請求項５のいずれかに記載の多機能一体型テレビジョンにおいて、上記嵌合穴は、上記嵌合穴と上記嵌合爪とが嵌合した状態で上記トレイシャーシを上記フロントキャビネットに向けスライド移動させた場合に上記嵌合爪が上記嵌合穴内でスライド移動方向に若干距離を移動できる程度の大きさに形成されるとともに、上記トレイシャーシの前端部および、上記嵌合爪が上記嵌合穴内でスライド移動方向に若干距離を移動した場合に同前端部と接近する上記フロントキャビネットの所定箇所には、上記フロントキャビネットに対する上記トレイシャーシの上下位置を固定する上下位置決め嵌合部が形成され、かつ、同上下位置決め嵌合部により上記トレイシャーシの上下位置が固定された上で上記フロントキャビネットの後方にリアキャビネットを装着することにより、上記トレイシャーシの前後位置を固定可能である構成としてある。
【００１９】
　上記のように構成した請求項６にかかる考案においては、上記嵌合穴は、上記嵌合穴と上記嵌合爪とが嵌合した状態で上記トレイシャーシを上記フロントキャビネットに向けスライド移動させた場合に上記嵌合爪が上記嵌合穴内でスライド移動方向に若干距離を移動できる程度の大きさに形成される。すなわち、嵌合穴は、スライド移動方向に若干の遊びを有している。一方、上記トレイシャーシの前端部および、上記嵌合爪が上記嵌合穴内でスライド移動方向に若干距離を移動した際に同前端部と接近する上記フロントキャビネットの所定箇所には、上下位置決め嵌合部が形成されている。従って、上記嵌合穴と上記嵌合爪とが嵌合した状態で、更に上記トレイシャーシを若干の距離スライド移動させて、同上下位置決め嵌合部を嵌合状態にすれば、上記フロントキャビネットに対する上記トレイシャーシの上下位置を固定することが可能となる。
【００２０】
　上述のように、上記嵌合穴には、スライド移動方向に若干の遊びがあるため、上記トレイシャーシが上記嵌合穴の遊びの距離だけスライド移動前後方向に動くことを防ぐ必要がある。そこで、上下位置決め嵌合部を嵌合させて、上記トレイシャーシの上記フロントキャビネットに対する上下位置を固定した上で、上記フロントキャビネットの後方にリアキャビネットを装着することにより、上記トレイシャーシを後方から押圧し、上記トレイシャーシがスライド移動前後方向に動くことを禁止している。その結果、上記トレイシャーシの前後位置も固定される。
【考案の効果】
【００２１】
　以上説明したように、請求項１および請求項２にかかる考案によれば、簡易な構成かつ低コストで、トレイシャーシがフロントキャビネットに対して強固に固定された多機能一体型テレビジョンを提供することができる。
　また、請求項３かかる考案によれば、トレイシャーシを安定した状態でスライド移動させ、効率よくトレイシャーシをフロントキャビネットに固定することができる。
　さらに、請求項４にかかる考案によれば、トレイシャーシをスムーズにスライド移動させることができ、かつ、嵌合爪と嵌合穴との嵌合状態が解除されにくくなる。
　さらに、請求項５にかかる考案によれば、嵌合爪が嵌合穴の形成された位置に確実に案内されるので、トレイシャーシをフロントキャビネットに対して容易に固定することができるされる。
　さらに、請求項６にかかる考案によれば、フロントキャビネットに対するトレイシャーシの上下位置および前後位置を確実に固定することができる。
【考案を実施するための最良の形態】
【００２２】
　図１は、本考案の一実施形態に係るフロントキャビネットと、フロントキャビネットに固定されるトレイシャーシを斜視図により示している。ここで、本考案に係る多機能一体型テレビジョンとしては、ビデオデッキ一体型テレビジョン、いわゆるテレビデオや、ＤＶＤプレイヤ一体型テレビジョンなど様々なものが想定される。
　同図に示すように、フロントキャビネット１０の前面２０の略中央には、開口３０が形成されている。同開口３０には、表示面を前面に向けた、ＣＲＴ等の図示しないディスプレイ装置が取り付けられる。前面２０における開口３０の下方位置には、取り出し口４０が形成されている。すなわち、ユーザは、同取り出し口４０を介して、ビデオカセットやＤＶＤ、音楽用ＣＤなどの情報媒体を、多機能一体型テレビジョンの内部に収容したり外部に取り出したりする。
　また、フロントキャビネット１０の底面５０には、嵌合穴６０が、左右二箇所に夫々形成されている。同嵌合穴６０の開口形状は略矩形状であり、同嵌合穴６０は、同底面５０を貫通している。
【００２３】
　一方、トレイシャーシ７０の底部７１には、左右二箇所に嵌合爪７２が、それぞれ略鉛直下方向に突設されている。同嵌合爪７２は、断面が略矩形状の突起である。あるいは、同嵌合爪７２の断面形状としては、コの字型形状を採用することもできる。嵌合爪７２は、嵌合穴６０の内部にほぼ隙間無く嵌り込む大きさに形成される。また、底面５０の左右二箇所に夫々形成された嵌合穴６０間の幅と、底部７１の左右二箇所に夫々形成された嵌合爪７２間の幅は等しい。さらに、トレイシャーシ７０上には、基板８０と、デッキシャーシ９０が搭載されている。
【００２４】
　ここで、上記の通り、開口３０には図示しないディスプレイ装置が取り付けられる。そのため、多機能一体型テレビジョンの組み立て作業においては、デッキシャーシ９０等を搭載したトレイシャーシ７０を、フロントキャビネット１０の背面側からフロントキャビネット１０に向かう方向（以下、スライド移動方向）にスライド移動させて、同フロントキャビネット１０における開口３０の周辺位置に取り付けることになる。　
【００２５】
　図２は、フロントキャビネット１０とトレイシャーシ７０とを側面から示した図である。
　同図に示すように、嵌合爪７２の先端には、スライド移動方向の前方側から後方側に向けて徐々に突出する斜面７２ａが形成されている。すなわち、嵌合爪７２の先端は、スライド移動方向の前方側から後方側に向かって徐々に先細りとなっている。
　トレイシャーシ７０がフロントキャビネット１０に向けてスライド移動する際は、トレイシャーシ７０は、嵌合爪７２を介して、フロントキャビネット１０の底面５０の内側上に乗る格好となる。そして、トレイシャーシ７０は、嵌合爪７２を支えにして、底面５０の後端５１から嵌合穴６０までの距離分をスライド移動する。嵌合爪７２の先端には斜面７２ａが形成されているため、嵌合爪７２は、斜面７２ａとスライド移動方向の後方側の略鉛直下方向に向かって延設されている側面によって形成された鋭角部分で底面５０の内側上に接触する。また、斜面７２ａとスライド移動方向の前方側の略鉛直下方向に向かって延設されている側面によって形成された鈍角部分は底面５０から若干浮く。従って、嵌合爪７２は、底面５０の内側上の凸凹に引っかかることなく、底面５０の内側上をスムーズにスライド移動することが可能となる。
【００２６】
　そして、嵌合爪７２が、嵌合穴６０の形成された位置までスライド移動したところで、嵌合爪７２と嵌合穴６０とが嵌合する。図３は、トレイシャーシ７０が、フロントキャビネット１０に固定された状態を側面から示している。
　同図に示すように、トレイシャーシ７０の嵌合爪７２が、フロントキャビネット１０の嵌合穴６０に嵌り込むことにより、トレイシャーシ７０がフロントキャビネット１０に固定される。トレイシャーシ７０の固定位置は、ＣＲＴ等のディスプレイ装置が取り付けられる開口３０の周辺位置であり、同図においては、開口３０の下方位置に固定されている。また、嵌合爪７２と嵌合穴６０とが嵌合することでトレイシャーシ７０が下降し、トレイシャーシ７０の底部７１と底面５０の内側とが当接しあう。その結果、トレイシャーシ７０のフロントキャビネット１０に対する上下位置が確定し、トレイシャーシ７０に搭載されたデッキシャーシ９０の上下位置と、取り出し口４０の上下位置とが一致する。
【００２７】
　嵌合爪７２の断面は略矩形状またはコの字型形状であるとともに、嵌合穴６０の開口形状は略矩形状であるため、嵌合爪７２が嵌合穴６０の中で回転することは無い。すなわち、トレイシャーシ７０はフロントキャビネット１０に強固に固定されている。従って、本考案に係る多機能一体型テレビジョンが、落下試験時の衝撃など、外部からの強い衝撃を受けた場合でも、トレイシャーシ７０及びトレイシャーシ７０に搭載される基板８０やデッキシャーシ９０の揺れを抑制することができ、かかる部品の固定位置のずれや破損を防ぐことができる。また、嵌合爪７２を嵌合穴６０に嵌め込む以外の作業を必要とせず、フロントキャビネット１０とトレイシャーシ７０をビス等で固定する場合と比較して、簡易な作業かつ低コストで、フロントキャビネット１０とトレイシャーシ７０とを固定することができる。
【００２８】
　ここで、嵌合爪７２の先端には、斜面７２ａがスライド移動方向の前方側から後方側に向けて徐々に突出するように形成されているため、嵌合爪７２のスライド移動方向の前方側の略鉛直下方向に向かって延設されている側面が嵌合穴６０の側面に当接する距離に比べて、嵌合爪７２のスライド移動方向の後方側の略鉛直下方向に向かって延設されている側面が嵌合穴６０の側面に当接する距離の方が長い。従って、スライド移動方向の前方側からの衝撃を受けた場合でも、嵌合穴６０の側面に嵌合爪７２のスライド移動方向の後方側の略鉛直下方向に向かって延設されている側面が長い距離をもって当接しているため、同衝撃によって嵌合爪７２が嵌合穴６０から抜け出して、トレイシャーシ７０がスライド移動方向の後方側にずれることが防がれる。
【００２９】
　トレイシャーシ７０を底面５０の内側上でスライド移動させる際に、嵌合爪７２を嵌合穴６０の形成された位置にまで案内する案内溝５２を底面５０に形成すると、効率よく、トレイシャーシ７０をフロントキャビネット１０に固定することができる。
　図４は、案内溝５２を形成した底面５０の内側を拡大的に示している。同図に示すように、底面５０の内側には、後端５１から嵌合穴６０の間に、嵌合穴６０の横方向の幅と略同等幅の案内溝５２が、左右二箇所に夫々形成されている。そして、嵌合爪７２の先端を同案内溝５２に入り込ませた上で、トレイシャーシ７０をフロントキャビネット１０に向けてスライド移動させれば、嵌合爪７２は案内溝５２の中を進行し、確実に嵌合穴６０に案内される。よって、トレイシャーシ７０をフロントキャビネット１０に容易に固定することができる
【００３０】
　なお、上記案内溝５２の深さは任意に設定可能であるが、案内溝５２の中を進行する嵌合爪７２が、スライド移動の際に脱線しない程度の深さであれば十分である。また、図５に示すように、溝の幅が後端５１に接近するほど広くなる案内溝５３を形成すれば、底面５０の内側上に置かれたトレイシャーシ７０の横方向の位置が多少ずれていても、嵌合爪７２を確実に嵌合穴６０にまで案内することができる。
【００３１】
　上述した構成によって、トレイシャーシ７０はフロントキャビネット１０に対して強固に固定される。ここで、フロントキャビネット１０には、取り出し口４０が形成されており、同取り出し口４０の上下位置に対して、トレイシャーシ７０に搭載されたデッキシャーシ９０の上下位置を確実に位置決めする必要がある。そこで、フロントキャビネット１０に対するトレイシャーシ７０の上下位置を確実に位置決めするための構成を追加してもよい。
【００３２】
　図６は、上下位置決め嵌合部１００を有する場合のフロントキャビネット１０およびトレイシャーシ７０を斜視図により示している。
　上下位置決め嵌合部１００は、フロントキャビネット１０に対するトレイシャーシ７０の上下位置を固定できるものであればよい。そこで、同図においては、前面２０の内側の左右二箇所に嵌合爪１０１を形成し、トレイシャーシ７０の前端の左右二箇所に嵌合穴１０２を形成している。すなわち、上下位置決め嵌合部１００は、嵌合爪１０１と嵌合穴１０２とにより構成される。なお、前面２０側に嵌合穴１０２を形成し、トレイシャーシ７０側に嵌合爪１０１を形成することも当然可能である。
【００３３】
　上記嵌合爪１０１は種々の形状を採用可能であり、断面が略円形状の突起であっても、断面が複数角形の突起であってもよい。一方、嵌合穴１０２は、嵌合爪１０１を内部に案内するために凹状に形成されている。
　また、フロントキャビネット１０とトレイシャーシ７０とが上下位置決め嵌合部１００を有する場合、嵌合穴６０は、嵌合穴６０に嵌合した嵌合爪７２がスライド移動方向に若干距離を動けるように、いわゆる遊び（以下、延長空間６１）を持たせて形成されている。
【００３４】
　図７は、上下位置決め嵌合部１００を嵌合状態にした場合のフロントキャビネット１０とトレイシャーシ７０とリアキャビネット１１０とを側面から示している。
　トレイシャーシ７０を、底面５０の後端５１から嵌合穴６０の形成された位置までスライド移動させて、嵌合爪７２と嵌合穴６０とを嵌合させることで、嵌合爪１０１と嵌合穴１０２との上下位置が一致する。そして、嵌合爪７２と嵌合穴６０とが嵌合した状態で、さらにトレイシャーシ７０を、延長空間６１のスライド移動方向の距離分、スライド移動させると、嵌合爪１０１と嵌合穴１０２とが嵌合する。その結果、フロントキャビネット１０に対するトレイシャーシ７０の上下位置が確実に固定されるとともに、取り出し口４０の上下位置に対するデッキシャーシ９０の上下位置が確実に位置決めされる。
【００３５】
　ただし、嵌合穴６０が上記延長空間６１を有しているため、嵌合爪７２が嵌合穴６０内でスライド移動前後方向に動いてしまう可能性がある。そこで、同図に示すように、フロントキャビネット１０の背後に装着したリアキャビネット１１０の内側の所定位置でトレイシャーシ７０の後端を押圧することにより、トレイシャーシ７０がスライド移動前後方向に動くことを禁止している。その結果、フロントキャビネット１０に対するトレイシャーシ７０の前後位置も確実に固定される。
【００３６】
　このように、トレイシャーシ７０の底部７１の左右二箇所に形成された嵌合爪７２を支えとして、トレイシャーシ７０を底面５０の内側上にてフロントキャビネット１０に向かってスライド移動させる。そして、同スライド移動に伴い、嵌合爪７２が嵌合穴６０の形成された位置まで到達した際に、嵌合爪７２と嵌合穴６０とを嵌合させる。その結果、トレイシャーシ７０は、フロントキャビネット１０に対して強固に固定され、落下実験時等の衝撃による揺れを抑制でき、トレイシャーシ７０やデッキシャーシ９０等の固定位置のずれや破損を防ぐことができる。
【図面の簡単な説明】
【００３７】
【図１】本考案の一実施形態に係るフロントキャビネットとトレイシャーシとを示す斜視図である。
【図２】フロントキャビネットとトレイシャーシとを示す側面図である。
【図３】トレイシャーシがフロントキャビネットに固定された状態を示す側面図である。
【図４】案内溝を形成する底面の内側を示す拡大図である。
【図５】他の形状の案内溝を形成する底面の内側を示す拡大図である。
【図６】上下位置決め嵌合部を有する場合のフロントキャビネットおよびトレイシャーシを示す斜視図である。
【図７】上下位置決め嵌合部を嵌合状態にした場合のフロントキャビネットとトレイシャーシとリアキャビネットとを示す側面図である。
【符号の説明】
【００３８】
１０…フロントキャビネット
２０…前面
３０…開口
４０…取り出し口
５０…底面
５１…後端
５２，５３…案内溝
６０…嵌合穴
６１…延長空間
７０…トレイシャーシ
７１…底部
７２…嵌合爪
７２ａ…斜面
８０…基板
９０…デッキシャーシ
１００…上下位置決め嵌合部
１０１…嵌合爪
１０２…嵌合穴
１１０…リアキャビネット
【図１】
0003100122.tif 000003
【図２】
0003100122.tif 000004
【図３】
0003100122.tif 000005
【図４】
0003100122.tif 000006
【図５】
0003100122.tif 000007
【図６】
0003100122.tif 000008
【図７】
0003100122.tif 000009